(57)【要約】【課題】支柱２に穿設した係止孔２ｂに係止された取付け金具に、パネル体１に設けたスリット１ａを係合させることで、天井面Ｃに設けた天井レール６にパネル体１の上端部がオーバーラップする状態でパネル体１を支柱２に取付けたものにおいて、該パネル体１が上動することで支柱２から外れて脱落しないようにするためパネル体１の上端縁に当接する当接部８ｂが設けられた脱落防止具８を天井レール６にビス８ｈを介して固定する。【解決手段】隣接するパネル体１が支柱２に取付けられる前に、当接部８ｂからＬ字形に折曲された一端側半部８ｄを天井レール６とパネル体１との間に挿入した後、該一端側半部８ｄからパネル体の左右方向外方に抜け出るように形成された他端側半部８ｅをビス８ｈを介して天井レール６に固定するようにして、ビス８ｈを含んだ脱落防止具８の殆どが支柱２に組付けられる左右のパネル体１に覆蓋されるようにする。【選択図】図５
2018168616.tif 000002
【特許請求の範囲】
【請求項１】
支柱正面に上下方向複数穿設した係止孔に係止された取付け金具に、パネル体裏面に設けたスリットを係合させることで該パネル体を、天井面に設けた天井レール正面にパネル体の上端部がオーバーラップする状態で支柱に取付ける構成とするにあたり、該パネル体が上動することでスリットが取付け金具から抜け出てパネル体が脱落するのを防止するための脱落防止具を、パネル体の上端縁に当接する当接部と、該当接部からＬ字形に折曲されて天井レールとパネル体との間に挿入される挿入部と、パネル体から左右方向外方に抜け出るよう挿入部から延出して天井レールにビスを介して固定される固定部とが備えられている構成にしたことを特徴とするパネル体の脱落防止具。
【請求項２】
脱落防止具は、隣接して同じ支柱に取付けられる左右のパネル体に、該左右のパネル体間の隙間を除いてビスも含めて覆蓋されていることを特徴とする請求項１記載のパネル体の脱落防止具。
【請求項３】
支柱は、下端部が支柱上端部に上下方向調節自在に内嵌し、ビスを介して天井レールに固定される支持金具を含むものであり、固定部は、支柱の左右方向外側位置で天井レールにビス固定されることを特徴とする請求項２記載のパネル体の脱落防止具。
【請求項４】
支柱は、下端部が支柱上端部に上下方向調節自在に内嵌し、ビスを介して天井レールに固定される支持金具を含むものであり、固定部は、支柱の左右方向内側位置で天井レールにビス固定されることを特徴とする請求項２記載のパネル体の脱落防止具。
【請求項５】
固定部は、支柱に対して左右方向外方に延出するものであり、該延出部位には下方に垂下する垂下部が設けられ、該垂下部は、当接部側端縁が支柱の左右方向外側面に当接するよう折曲されることを特徴とする請求項１乃至４の何れか１記載のパネル体の脱落防止具。
【請求項６】
支柱正面に上下方向複数穿設した係止孔に係止された取付け金具に、パネル体裏面に設けたスリットを係合させることで該パネル体を、天井面に設けた天井レール正面にパネル体の上端部がオーバーラップする状態で支柱に取付ける構成とし、該パネル体が上動することでスリットが取付け金具から抜け出てパネル体が脱落するのを防止するためパネル体の上端縁に当接する当接部を備えた脱落防止具を固定するにあたり、隣接するパネル体が支柱に取付けられる前に、当接部からＬ字形に折曲された挿入部を天井レールとパネル体との間に挿入した後、該挿入部からパネル体の左右方向外方に抜け出るように形成された固定部を、ビスを介して天井レールに固定するようにしたことを特徴とするパネル体の脱落防止具の固定方法。
【請求項７】
支柱は、下端部が支柱上端部に上下方向調節自在に内嵌し、ビスを介して天井レールに固定される支持金具を含み、固定部は、支柱に対して左右方向外方に延出するものであり、該延出部位には下方に垂下する垂下部が設けられ、該垂下部は、固定部がビス固定される前に、支柱の左右方向外側面方向に向けて折曲され、該折曲部位の当接部側端縁が支柱の左右方向外側面に当接されることを特徴とする請求項６記載のパネル体の脱落防止具の固定方法。
【発明の詳細な説明】
【技術分野】
【０００１】
本発明は、間仕切りパネル等のパネル体の脱落防止具および該脱落防止具の固定方法の技術分野に関するものである。
【背景技術】
【０００２】
今日、間仕切りパネル等に用いられるパネル体を、天井から床面のあいだに立設した支柱に取付けるようにするものがあり、この場合に、支柱に上下方向複数設けた係止孔に取付け金具を係止し、該取付け金具に、パネル体に設けたスリットを嵌合せしめた状態でパネル体を降ろすことで係止させ、これによりパネル体の支柱取付けをするようにしたものが提唱されている（例えば特許文献１参照。）。ところがこのものは、スリットを単に取付け金具に嵌合係止するだけであるから、パネル体を持上げた状態で手前側に引くと、簡単にスリットを取付け金具から外すことができ、例えば地震の縦揺れでパネル体が持上げられたような場合に、パネル体が不意に支柱から外れて脱落してしまうような不具合発生が想定される。
そこでパネル体が持上げられないようパネル体上端縁に当接する当接部を備えた脱落防止具を設けるようにしたものが知られている（例えば特許文献２参照。）。
【先行技術文献】
【特許文献】
【０００３】
【特許文献１】特開２０１５−１３２１２４号公報
【特許文献２】実公平７−４０００５号公報
【発明の概要】
【発明が解決しようとする課題】
【０００４】
ところが前記従来の脱落防止具はＴ字形をし、上片が当接部となってパネル体の上端縁に当接する状態で縦片を隣接パネル体間の隙間に嵌入し、ビスを介して支柱に固定するものであったため、脱落防止具の全体が直接外観されることになって視認性が損なわれるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、支柱正面に上下方向複数穿設した係止孔に係止された取付け金具に、パネル体裏面に設けたスリットを係合させることで該パネル体を、天井面に設けた天井レール正面にパネル体の上端部がオーバーラップする状態で支柱に取付ける構成とするにあたり、該パネル体が上動することでスリットが取付け金具から抜け出てパネル体が脱落するのを防止するための脱落防止具を、パネル体の上端縁に当接する当接部と、該当接部からＬ字形に折曲されて天井レールとパネル体との間に挿入される挿入部と、パネル体から左右方向外方に抜け出るよう挿入部から延出して天井レールにビスを介して固定される固定部とが備えられている構成にしたことを特徴とするパネル体の脱落防止具である。
請求項２の発明は、脱落防止具は、隣接して同じ支柱に取付けられる左右のパネル体に、該左右のパネル体間の隙間を除いてビスも含めて覆蓋されていることを特徴とする請求項１記載のパネル体の脱落防止具である。
請求項３の発明は、支柱は、下端部が支柱上端部に上下方向調節自在に内嵌し、ビスを介して天井レールに固定される支持金具を含むものであり、固定部は、支柱の左右方向外側位置で天井レールにビス固定されることを特徴とする請求項２記載のパネル体の脱落防止具である。
請求項４の発明は、支柱は、下端部が支柱上端部に上下方向調節自在に内嵌し、ビスを介して天井レールに固定される支持金具を含むものであり、固定部は、支柱の左右方向内側位置で天井レールにビス固定されることを特徴とする請求項２記載のパネル体の脱落防止具である。
請求項５の発明は、固定部は、支柱に対して左右方向外方に延出するものであり、該延出部位には下方に垂下する垂下部が設けられ、該垂下部は、当接部側端縁が支柱の左右方向外側面に当接するよう折曲されることを特徴とする請求項１乃至４の何れか１記載のパネル体の脱落防止具である。
請求項６の発明は、支柱正面に上下方向複数穿設した係止孔に係止された取付け金具に、パネル体裏面に設けたスリットを係合させることで該パネル体を、天井面に設けた天井レール正面にパネル体の上端部がオーバーラップする状態で支柱に取付ける構成とし、該パネル体が上動することでスリットが取付け金具から抜け出てパネル体が脱落するのを防止するためパネル体の上端縁に当接する当接部を備えた脱落防止具を固定するにあたり、隣接するパネル体が支柱に取付けられる前に、当接部からＬ字形に折曲された挿入部を天井レールとパネル体との間に挿入した後、該挿入部からパネル体の左右方向外方に抜け出るように形成された固定部を、ビスを介して天井レールに固定するようにしたことを特徴とするパネル体の脱落防止具の固定方法である。
請求項７の発明は、支柱は、下端部が支柱上端部に上下方向調節自在に内嵌し、ビスを介して天井レールに固定される支持金具を含み、固定部は、支柱に対して左右方向外方に延出するものであり、該延出部位には下方に垂下する垂下部が設けられ、該垂下部は、固定部がビス固定される前に、支柱の左右方向外側面方向に向けて折曲され、該折曲部位の当接部側端縁が支柱の左右方向外側面に当接されることを特徴とする請求項６記載のパネル体の脱落防止具の固定方法である。
【発明の効果】
【０００６】
請求項１または６の発明とすることにより、脱落防止具によりパネル体の不用意な脱落を防止できるものでありながら、該脱落防止具はパネル体に覆蓋されて視認できない部位があることになって外観性が向上する。
請求項２の発明とすることにより、脱落防止具は、隣接するパネル体の間の隙間を除いてこれらパネル体にビスも含めて覆蓋されることになって外部から殆どが視認できず、外観性が向上する。
請求項３、４の発明とすることにより、脱落防止具のビス固定が確実になされることになる。
請求項５または７の発明とすることにより、パネル体が持上がろうとするときに脱落防止具に働く負荷は、折曲された垂下部の挿入部側端縁が当接する支柱に受けられることになって分散されてビスに集中することがなく、パネル体の上動を強度のある状態で防止できることになる。
【図面の簡単な説明】
【０００７】
【図１】（Ａ）（Ｂ）はパネル体の正面図、側面図である。
【図２】（Ａ）（Ｂ）（Ｃ）はパネル体上端部の拡大正面図、拡大側面断面図、取付け金具の正面図である。
【図３】パネル体の支柱への取付け手順を示す斜視図である。
【図４】（Ａ）（Ｂ）（Ｃ）は脱落防止具の組み込み手順を示す斜視図である。
【図５】（Ａ）（Ｂ）は隣接パネル体が取付けられていない状態の脱落防止具部位の拡大正面図、拡大側面断面図である。
【図６】（Ａ）（Ｂ）（Ｃ）は脱落防止具の正面図、平面図、側面図である。
【図７】（Ａ）（Ｂ）（Ｃ）は支持金具の正面図、平面図、側面図である。
【図８】第２の実施の形態を示す脱落防止具部位の正面図である。
【発明を実施するための形態】
【０００８】
以下、本発明の実施の形態について、図面に基づいて説明する。図面において、１は間仕切り用のパネル体、２は該パネル体１を取付けるための支柱であって、該支柱２は、床面Ｆに設けられた凵字形をした床レール３とパネル体１の下端部とのあいだに設けられたアジャスタ金具４によって上下移動調整自在に設けられている。一方、支柱２は、支柱本体２ａと、該支柱本体２ａの上端部に上下方向調節移動自在に嵌入した支持金具５とにより構成されるが、該支持金具５の上端部を、天井板Ｃの下面に設けた冂字形の天井レール６に内嵌し、支持金具５の跨部上端に設けた舌片５ａを天井レール６の跨部６ａに当接せしめた状態で舌片５ａから螺入したビス５ｂを介して固定するようになっている。尚、支持金具５には、前記ビス５ｂを介して固定する前の段階で支持金具５が支柱本体２ａ内に没入してしまうのを防止するための突起５ｃが設けられている。またパネル体１は、本実施の形態では上下二枚から構成されたものになっているが、一枚のもの、三枚以上のもの等、必要に応じて枚数設定できることは言うまでもない。また天井レール６は、天井板Ｃを貫通する図示しないビスにより天井板Ｃの上面に設けた天井下地Ｘに固定されている。
【０００９】
支柱２の表裏面（正面）には、上下方向に適間隔を存して係止孔２ｂが穿設されており、該係止孔２ｂには、略Ｈ字形をした取付け金具７の一片７ａが支柱本体２ａ内に嵌入し、他片７ｂが支柱本体２ａの表裏面から突出し、跨部７ｃの下端縁が係止孔２ｂの下端縁に係止する状態で取付け金具７が支柱本体２ａに組み込まれている。
【００１０】
一方、パネル体１の左右両端部のパネル裏面には、前記係止孔２ｂに対応するスリット１ａが設けられている。そしてパネル体１は、取付け位置よりも少し持上げた状態にして取付け金具７の他片７ｂに嵌合した状態で降ろすことにより他片７ｂがパネル体１内に嵌入し、跨部７ｃの上端縁がスリット１ａの上端に係止する状態となり、これによってパネル体１は、上下端部が天井レール６と床レール３とにオーバーラップする状態で支柱２（支柱本体２ａ）に取り付けられるようになっている。また隣接する支柱２間には必要に応じて横材２ｃを支架することができる。
【００１１】
８は前記取付けられたパネル体１の脱落防止をするための脱落防止具であって、該脱落防止具８は、左右方向に長い縦板状の本体部８ａと、該本体部８ａの左右方向一端側上端から水平板状（逆Ｌ字形）に折曲された当接部８ｂと、本体部８ａの左右方向他端側から下方に垂下される垂下部８ｃとを備えて構成される。そして脱落防止具８は、左右方向他端側のパネル体１が支柱２に取付けられる前の段階で取付けられたパネル体１の脱落防止をすべく取付けられることになるが、その取付け手順例としては、当接部８ｂがパネル体１の上端に摺接するか上側に位置する状態で本体部８ａの一端側半部（本発明の「挿入部」に相当する。）８ｄを、天井レール６とパネル体１との間に、他端側半部（本発明の「固定部」に相当する。）８ｅに至る少し前位置まで、つまり垂下部８ｃの当接部８ｂ側（挿入部側）端縁が支柱本体２ａの左右方向外側面２ｄに至る少し前の段階まで挿入し、この状態で該垂下部８ｃを、天井レール６の下端に当接するか該下端よりも下側位置で支柱本体２側（当接部８ｂとは反対側）に折曲して折曲部８ｇを形成し、該折曲部８ｇの当接部８ｂ側の端縁（一端側半部８ｄ側端縁）８ｉが支柱本体２ａの外側面２ｄまたは支持金具５の外側面５ｄに当接する（本実施の形態では支持金具５の外側面５ｄに当接している。）ようセットする。しかる後、パネル体1から左右方向外方に延出している本体部８ａの他端側半部８ｅを、支柱本体２ａよりも左右方向外側位置において螺入したビス８ｈを介して天井レール６に固定することで脱落防止具８が天井レール６に固定され、これによって前記支柱本体２ａに取付けられたパネル体１に地震の縦揺れ等により上動する方向の負荷が働いた場合に、該負荷は、ビス８ｈと折曲部８ｇの当接部８ｂ側（挿入部側）端縁８ｉが支持金具５の外側面５ｄに当接することとによって分散した状態で受け止められることになり、これによってパネル体１の上動が規制され脱落防止がなされるようになっている。
因みに、脱落防止具８の折曲部８ｇの形成は、脱落防止具８をビス８ｈを介して天井レール６に固定する前であれば、本体部８ａを天井レール６とパネル体１との隙間に挿入する前の段階で行ってもよく、また一旦、本体部８ａを天井レール６とパネル体１との間に仮挿入し、折曲位置を確認した後、脱落防止具８を引き抜いて折曲してもよいことは言うまでもない。
【００１２】
このように脱落防止具８が天井レール６に取付けられてパネル体１の脱落防止がなされた後、隣接するパネル体１を同じ支柱本体２ａに取付けることで、パネル体１は左右方向一連状に取付けられるようになっており、これによって、脱落防止具８は、ビス８ｈを含めて本体部８ａの他端側半部８ｅの殆どが隣接パネル１に覆蓋されることになって、隣接パネル１間の隙間部分のみが目視されるように設定されている。
【００１３】
叙述の如く構成された本実施の形態において、支柱本体２ａの表裏面に上下方向複数穿設した係止孔２ｂに係止された取付け金具７の他片７ｂに、パネル体１の表裏面に設けたスリット１ａを係合させることにより、該パネル体１は、天井面Ｃに設けた天井レール６の正面にパネル体の上端部がオーバーラップする状態で支柱本体２ａに取付けられることになる。そして該取付けられたパネル体が、地震の縦揺れ等の動きを受けて上動し、スリット１ａが取付け金具７から抜け出てパネル体１が脱落するのを、前記固定された脱落防止具８により防止されることになるが、該脱落防止具８は、本体部８ａの一端側半部８ｄを天井レール６とパネル体１との間に挿入すると共に、当接部８ｂをパネル体１の上端縁に当接し、かつ垂下部８ｃに折曲形成した折曲部８ｇの当接部８ｂ側の端縁８ｉを支持金具５の外側面５ｄに当接した状態にセットした後、他端側半部８ｅをビス８ｈを介して天井レール６に固定される。このため脱落防止具８は、一端側半部８ｄがパネル体１に覆蓋されることになって外部から視認されることがなく、外観性が向上する。
【００１４】
しかもこのものでは、脱落防止具８の他端側半部８ｅが、ビス８ｈも含めて殆どが隣接するパネル体１に覆蓋されることになって、脱落防止具８の外部から視認される部位は、左右に隣接するパネル体１間の隙間にあるものだけとなって外観性が向上する。
【００１５】
しかもこの場合に、脱落防止具８は、前記支柱本体２ａに取り付けられたパネル体１に上動する方向の負荷が働いた場合に、該負荷は、ビス８ｈと折曲部８ｇの当接部８ｂ側の端縁８ｉが支持金具５の外側面５ｄに当接することとによって二箇所に分散した状態で受け止められることになり、これによってパネル体１の上動が確実に規制され脱落防止がなされることになる。
【００１６】
尚、本発明は前記実施の形態に限定されるものでないことは勿論であって、脱落防止具８の天井レール６への固定手段としては、他端側半部８ｅを複数本（例えば２本）のビス８ｈを用いて天井レール６に固定するようにしてもよい。
【００１７】
また脱落防止具８の天井レール６側へのビス固定位置を、図８の第２の実施の形態に示すように、支持金具（支柱２に含まれる。）５の左右方向内側位置で、隣接パネル１に覆蓋される位置としてもよく、このようにした場合には、脱落防止具８は、天井レール６だけでなく、支持金具５（支柱２）にも固定されることになって固定強度のアップが図れる。
【産業上の利用可能性】
【００１８】
本発明は、間仕切り等に用いられるパネル体の脱落防止具として利用することができる。
【符号の説明】
【００１９】
１  パネル体
１ａ  スリット
２  支柱
２ａ  支柱本体
２ｂ  係止孔
２ｄ  外側面
５  支持金具
６  天井レール
７  取付け金具
８  脱落防止具
８ａ  本体部
８ｂ  当接部
８ｃ  垂下部
８ｄ  一端側半部
８ｅ  他端側半部
８ｇ  折曲部
８ｈ  ビス
８ｉ  当接部側端縁
Ｃ  天井板
【図１】
2018168616.tif 000003
【図２】
2018168616.tif 000004
【図３】
2018168616.tif 000005
【図４】
2018168616.tif 000006
【図５】
2018168616.tif 000007
【図６】
2018168616.tif 000008
【図７】
2018168616.tif 000009
【図８】
2018168616.tif 000010